(57)【要約】【課題】水栓本体に一次側の給湯管、一次側の給水管、二次側の給湯／給水管を接続するための部品点数を少なくでき、また、接続操作の手間を軽減できる水栓装置を提供すること。【解決手段】水栓本体５に一次側の配管１０、１１及び二次側の配管１２を接続するための一次側配管接続構造２０及び二次側配管接続構造２０を備え、一次側配管接続構造２０及び二次側配管接続構造２０はともに、配管１０〜１２の端部を挿入する管状の配管接続部１５〜１７と、配管接続部１５〜１７に挿入した配管１０〜１２の端部を保持して水栓本体５に配管１０〜１２を接続するための固定クリップ２２と、を備え、配管接続部１５〜１７は、外面から内面に貫通するクリップ挿通孔２１を備える。【選択図】図３
2020070578.tif 000002
【特許請求の範囲】
【請求項１】
水栓本体に一次側の配管及び二次側の配管を接続するための一次側配管接続構造及び二次側配管接続構造を備え、
前記一次側配管接続構造及び前記二次側配管接続構造はともに、
前記配管の端部を挿入する管状の配管接続部と、
前記配管接続部に挿入した前記配管の端部を保持して前記水栓本体に前記配管を接続するための固定クリップと、を備え、
前記配管接続部は、外面から内面に貫通するクリップ挿通孔を備え、
一次側の配管接続部と二次側の配管接続部の前記固定クリップは、操作部、及び前記操作部の両端からそれぞれ前方に延びる一対のクリップ部を備えて略Ｃ字状に形成されるとともに、少なくとも前記一対のクリップ部の間の嵌合径が同一とされ、
前記操作部を押圧して前記一対のクリップ部を前記クリップ挿通孔から前記配管接続部の内部に押し込んで配設するとともに、前記固定クリップが前記配管接続部に着脱可能に係合し、且つ前記配管接続部に挿入した前記配管の端部が前記一対のクリップ部の間に嵌合して把持され、前記配管を前記配管接続部に接続するように構成されている、水栓装置。
【請求項２】
前記一次側の配管接続部と前記二次側の配管接続部の前記固定クリップが同形同大である、請求項１に記載の水栓装置。
【請求項３】
前記固定クリップが樹脂製である、請求項１または請求項２に記載の水栓装置。
【請求項４】
前記一次側の配管接続部と前記二次側の配管接続部の前記クリップ挿通孔が同方向を向いて形成されている、請求項１から請求項３のいずれか一項に記載の水栓装置。
【請求項５】
前記配管接続部には、前記クリップ挿通孔の周端部に、外面から突出し前記クリップ挿通孔の周端部に沿って延びて繋がるリブが設けられている、請求項１から請求項４のいずれか一項に記載の水栓装置。
【請求項６】
前記固定クリップは、前記クリップ挿通孔に挿入して前記配管を嵌合把持した状態で、前記固定クリップの後端の前記操作部の外面が、前記クリップ挿通孔の開口端、又は前記リブの突端よりも前記配管接続部の内側に配される、請求項１から請求項５のいずれか一項に記載の水栓装置。
【発明の詳細な説明】
【技術分野】
【０００１】
本発明は、水栓装置に関し、特に、水栓装置に給水管、給湯管などの配管を接続するための構造に関する。
【背景技術】
【０００２】
従来、キッチンカウンターや、トイレ、洗面所の洗面化粧台などには、ハンドル（操作レバー）を備えた水栓装置と、水栓装置から水や湯が供給されて吐出する吐水装置とからなる混合水栓システムが多用されている。
【０００３】
一方、水栓装置は、例えば、使用者が直接的に吐水操作を行うためのハンドルと、ハンドルに連結され、ハンドル操作などに応じてバルブを開閉し、湯水の供給制御を行うための水栓本体と、水栓本体に湯を供給する一次側の給湯管、水栓本体に水を供給する一次側の給水管を水栓本体にそれぞれ接続するための一次側給湯管接続部及び一次側給水管接続部と、水栓本体から吐水装置に湯水を供給する二次側の給湯／給水管（連結ホース）を水栓本体に接続するための二次側給湯／給水管接続部（連結ホース接続部）とを備えて構成されている（例えば、特許文献１参照）。
【先行技術文献】
【特許文献】
【０００４】
【特許文献１】特開２０１１−８３５８９号公報
【発明の概要】
【発明が解決しようとする課題】
【０００５】
ここで、従来の水栓装置においては、水栓本体の管状の一次側給湯管接続部、一次側給水管接続部、二次側給湯／給水管接続部にそれぞれ、一次側の給湯管、一次側の給水管、二次側の給湯／給水管を接続する際に、金属製のホースクランプ、ニップル、ホースバンドなどのジョイント具を用いている。また、一般に、一次側給湯管接続部、一次側給水管接続部、二次側給湯／給水管接続部で異なるジョイント具を用いている。
【０００６】
これにより、水栓本体に一次側の給湯管、一次側の給水管、二次側の給湯／給水管を接続するための部品点数が多くなるという問題があった。また、従来のジョイント具は、接続操作（脱着操作）に手間がかかるという不都合もあった。
【０００７】
本発明は、上記事情に鑑み、水栓本体に一次側の給湯管、一次側の給水管、二次側の給湯／給水管を接続するための部品点数を少なくでき、また、接続操作の手間を軽減できる水栓装置を提供することを目的とする。
【課題を解決するための手段】
【０００８】
本発明者は、水栓本体に一次側の給湯管、一次側の給水管、二次側の給湯／給水管を接続するための部品点数を少なくでき、また、接続操作の手間を軽減できる手段を見出し、本発明を完成するに至った。
【０００９】
（１）本発明の水栓装置は、水栓本体に一次側の配管及び二次側の配管を接続するための一次側配管接続構造及び二次側配管接続構造を備え、前記一次側配管接続構造及び前記二次側配管接続構造はともに、前記配管の端部を挿入する管状の配管接続部と、前記配管接続部に挿入した前記配管の端部を保持して前記水栓本体に前記配管を接続するための固定クリップと、を備え、前記配管接続部は、外面から内面に貫通するクリップ挿通孔を備え、一次側の配管接続部と二次側の配管接続部の前記固定クリップは、操作部、及び前記操作部の両端からそれぞれ前方に延びる一対のクリップ部を備えて略Ｃ字状に形成されるとともに、少なくとも前記一対のクリップ部の間の嵌合径が同一とされ、前記操作部を押圧して前記一対のクリップ部を前記クリップ挿通孔から前記配管接続部の内部に押し込んで配設するとともに、前記固定クリップが前記配管接続部に着脱可能に係合し、且つ前記配管接続部に挿入した前記配管の端部が前記一対のクリップ部の間に嵌合して把持され、前記配管を前記配管接続部に接続するように構成されていることを特徴とする。
【００１０】
（２）本発明の水栓装置は、上記（１）において、前記一次側の配管接続部と前記二次側の配管接続部の前記固定クリップが同形同大であってもよい。
【００１１】
（３）本発明の水栓装置は、上記（１）または（２）において、前記固定クリップが樹脂製であってもよい。
【００１２】
（４）本発明の水栓装置は、上記（１）から（３）のいずれかにおいて、前記一次側の配管接続部と前記二次側の配管接続部の前記クリップ挿通孔が同方向を向いて形成されていてもよい。
【００１３】
（５）本発明の水栓装置は、上記（１）から（４）のいずれかにおいて、前記配管接続部には、前記クリップ挿通孔の周端部に、外面から突出し前記クリップ挿通孔の周端部に沿って延びて繋がるリブが設けられていてもよい。
【００１４】
（６）本発明の水栓装置は、上記（１）から（５）のいずれかにおいて、前記固定クリップは、前記クリップ挿通孔に挿入して前記配管を嵌合把持した状態で、前記固定クリップの後端の前記操作部の外面が、前記クリップ挿通孔の開口端、又は前記リブの突端よりも前記配管接続部の内側に配されてもよい。
【発明の効果】
【００１５】
本発明によれば、水栓本体に一次側の給湯管、一次側の給水管、二次側の給湯／給水管を接続するための部品点数を少なくでき、また、接続操作の手間を軽減することが可能になる。
【図面の簡単な説明】
【００１６】
【図１】本発明の一実施形態に係る水栓装置（混合水栓システム）を示す斜視図である。
【図２】本発明の一実施形態に係る水栓装置と吐水装置からなる混合水栓システムを洗面器の背面側から見た図である。
【図３】本発明の一実施形態に係る水栓装置の配管接続構造を示す図である。
【図４】本発明の一実施形態に係る水栓装置の配管接続構造を示す斜視図である。
【図５】本発明の一実施形態に係る水栓装置の配管接続構造の固定クリップを示す斜視図である。
【発明を実施するための形態】
【００１７】
以下、図１から図５を参照し、本発明の一実施形態に係る水栓装置について説明する。ここで、本実施形態では、水栓装置が洗面台に取り付けられているものとして説明を行うが、本発明にかかる水栓装置（水栓装置の配管接続構造）は、洗面台に限らず、キッチンやトイレなどの他の設備に用いても、勿論構わない。
【００１８】
図１に示すように、洗面台１は、例えば、下部収納キャビネット（不図示）と、下部収納キャビネットの上方に設けられた洗面器２と、洗面器２内に水や湯を吐出させる混合水栓システムＢとを備えて構成されている。
【００１９】
また、本実施形態では、洗面器２が、水受け可能な洗面ボウルのボウル部３と、ボウル部３の後方に設けられ、且つ左右の幅方向一側端から他側端まで延設されるとともに上方に突設された後方壁部４とを備えている。
【００２０】
混合水栓システムＢは、水栓本体５及びハンドル６からなる水栓装置Ｂ１と、水栓装置Ｂ１のハンドル操作に応じて水や湯を吐出する吐水装置Ｂ２とで構成されている。
【００２１】
吐水装置Ｂ２は、洗面台１に取り付けて吐水装置Ｂ２を固定するための台座部７と、台座部７に後端を接続して設けられる吐水管部８と、吐水管部８の先端に設けられ、水又は湯を吐出する吐水部９とを備えている。
【００２２】
一方、本実施形態の水栓装置Ｂ１は、図１、図２に示すように、例えば、使用者が直接的に吐水操作を行うためのハンドル６と、ハンドル操作などに応じて湯水の供給を制御し、水と湯の混合、水又は湯の開閉を行うためのバルブユニットを内部に有する水栓本体５と、水栓本体５に一次側の給水管（給水ホース：一次側の配管）１０、一次側の給湯管（給湯ホース：一次側の配管）１１、吐水装置Ｂ２に湯水を送るための二次側の連結管（連結ホース：二次側の配管）１２をそれぞれ接続するための配管接続部材１３とを備えている。
【００２３】
配管接続部材１３は、後方壁部４の前壁４ａの背面側、すなわち、後方壁部４の内部に設けられ、洗面器２の後方壁部４の前壁４ａの所定位置に貫通形成された貫通孔を介し、後方壁部４を挟み込むようにして水栓本体５と接続されている。なお、水栓本体５と後方壁部４の前壁４ａの間に止水パッキンが介設され、この部分の止水性能が確保されている。
【００２４】
配管接続部材１３には、図２、図３に示すように、水栓本体５に水を供給する一次側の給水管１０を接続するための給水管接続部（一次側の配管接続部）１５と、水栓本体５に湯を供給する一次側の給湯管１１を接続するための給湯管接続部（一次側の配管接続部）１６と、水栓本体５から吐水装置Ｂ２に湯水を供給する二次側の連結管１２を接続するための連結管接続部（二次側の配管接続部）１７とが設けられている。また、給水管１０、給湯管１１はそれぞれ、給水源、給湯源に接続されている。
【００２５】
そして、水栓本体５に取り付けられたハンドル６を適宜操作することによって、バルブユニットが駆動し、湯の温度調整、吐水、止水操作を行うことができる。
【００２６】
一方、給水管１０と給水管接続部１５、給湯管１１と給湯管接続部１６、連結管１２と連結管接続部１７のそれぞれの接続には、同様の配管接続構造（一次側配管接続構造、二次側配管接続構造）２０が適用されている。
【００２７】
具体的に、図３、図４に示すように、本実施形態の配管接続構造２０では、給水管接続部１５、給湯管接続部１６、連結管接続部１７がそれぞれ、略円筒状（管状）に形成されており、これら配管接続部１５〜１７の外面から内面に貫通するクリップ挿通孔２１と、各配管接続部１５〜１７に挿入した配管１０〜１２の端部を着脱可能に保持して各配管接続部１５〜１７と配管１０〜１２を接続するための固定クリップ２２とを備えて構成されている。なお、配管の端部は、接続具を取り付けて形成されている。
【００２８】
固定クリップ２２は、例えば、図５（図３、図４）に示すように、横方向に延びて固定クリップ２２の後端部を形成し、作業者が指で挟んだり、押し込んだり、工具を使って引き抜く際に使用する帯盤状の操作部２３と、操作部２３の延設方向の両端からそれぞれ前方に延びる略円弧状の一対のクリップ部２４を備えて略Ｃ字状に形成されている。
【００２９】
本実施形態の固定クリップ２２は、樹脂製で、操作部２３の前面２３ａ、一対のクリップ部２４の互いに向き合う各クリップ部２４の一側面２４ａのうち、少なくとも一対のクリップ部２４の一側面２４ａ、すなわち、少なくとも固定クリップ２２の内面を形成する一対のクリップ部２４の各側面２４ａは、配管１０〜１２の端部（接続具の嵌合凹部）の外周面の形状、曲率半径と同等の円弧面状に形成されている。
【００３０】
給水管接続部１５、給湯管接続部１６、連結管接続部１７で用いる固定クリップ２２は、少なくとも一対のクリップ部２４の円弧面状の一側面２４ａによって形成される配管１０〜１２の端部を嵌合する嵌合部２５の径（固定クリップ２２の嵌合径ｄ）を同一にして形成されている。すなわち、同一径ｄの配管１０〜１２の端部を接続するように構成されている。
【００３１】
固定クリップ２２は、後端部を形成する操作部２３の後端面２３ｂがクリップ挿通孔２１を通じて固定クリップ２２を各配管接続部１５〜１７の内部に押し込む際に押圧する押圧面とされている。
【００３２】
固定クリップ２２の操作部２３には、上下方向を向く一面から他面側に凹む凹部、他面から一面側に凹む凹部が上下方向の対称位置に設けられ、これら一対の凹部が固定クリップ２２を取り外す際に工具を係合させる工具係合凹部２６とされている。
【００３３】
本実施形態の固定クリップ２２は、左右、上下に対称の対称形状とされ、一面と他面のいずれを上下方向、横方向の正逆方向に向けても同様に使用できるように構成されている。また、各配管接続部１５〜１７で用いる固定クリップ２２が同形同大とされている。
【００３４】
図３、図４（図５）に示すように、略円筒状に形成された各配管接続部１５〜１７の外面から内面に貫通し、固定クリップ２２を挿通するためのクリップ挿通孔２１は、各配管接続部１５〜１７の軸線中心の周方向に延びて形成されている。
【００３５】
図４に示すように、各配管接続部１５〜１７には、クリップ挿通孔２１の周端部から径方向内側の所定範囲に、クリップ挿通孔２１に挿入した固定クリップ２２の操作部２３を挟み込むようにして係止するための係止面２７が形成されている。
【００３６】
各配管接続部１５〜１７には、クリップ挿通孔２１の周端部に、外面から突出しクリップ挿通孔２１の周端部に沿って延びる環状のリブ２８が設けられている。このリブ２８によってクリップ挿通孔２１の開口部分及び固定クリップ２３の操作部２３を係止面２７で係止する部分の強度増が図られている。
【００３７】
なお、各配管接続部１５〜１７は、内面から外面側に凹み、軸線中心の周方向に延び、固定クリップ２２をクリップ挿通孔２１に挿入するとともに、固定クリップ２２の一対のクリップ部２４のそれぞれの他側面側（外側）の一部が係合する係合溝（不図示）が設けられていてもよい。このような係合溝を備えた場合には、固定クリップ２２をクリップ挿通孔２１に挿入する際に、一対のクリップ部２４をそれぞれ所定の方向に案内することができるとともに、クリップ挿入孔２１から各配管接続部１５〜１７の内部に挿入した一対のクリップ部２４をそれぞれ係止して固定クリップ２２を保持することができる。
【００３８】
また、本実施形態では、図３、図４に示すように、給水管接続部１５、給湯管接続部１６、連結管接続部１７の３つの配管接続部１５〜１７のクリップ挿通孔２１が同方向（本実施形態では後方）を向くようにして設けられている。
【００３９】
そして、本実施形態の水栓装置Ｂ１においては、各配管接続部１５〜１７の内部に配管１０〜１２の端部（配管１０〜１２の端部を形成する接続具）を軸線方向に所定深さまで差し込んだ段階で、操作部２３を押圧しながら固定クリップ２２をクリップ挿通孔２１から各配管接続部１５〜１７の内部に押し込む。
【００４０】
このように配管１０〜１２の端部を挿入した状態の配管接続部１５〜１７に固定クリップ２２を押し込むと、一対のクリップ部２４の間の嵌合部２５に配管１０〜１２の端部（接続具の嵌合凹部２９）が嵌合し、配管１５〜１７の端部が一対のクリップ部２４で把持される。
【００４１】
これとともに、固定クリップ２２の操作部２３が配管接続部１５〜１７の係止面２７、固定クリップ２２の一対のクリップ部２４の外側が配管接続部１５〜１７の内面に凹設された係合溝にそれぞれ係止され、固定クリップ２２が配管接続部１５〜１７に着脱可能に係合する。
【００４２】
したがって、本実施形態の水栓装置Ｂ１においては、固定クリップ２２をクリップ挿通孔２１に差し込むという簡易な操作で、配管１０〜１２を配管接続部１５〜１７に接続することが可能になる。
【００４３】
また、操作部２３に設けられた工具係合凹部２６にマイナスドライバなどの工具を係合させ、固定クリップ２２を外側に押圧するなどして、固定クリップ２２を容易に引き出すことができる。すなわち、固定クリップ２２を容易に着脱することができるとともに、配管接続部１５〜１７への配管１０〜１２の着脱を容易に行うことが可能になる。
【００４４】
本実施形態の水栓装置Ｂ１においては、給水管接続部１５、給湯管接続部１６、連結管接続部１７の３つの配管接続部１５〜１７で用いる固定クリップ２２が、嵌合径を同一とした同形同大の共通部品とされているため、水栓装置Ｂ１への配管接続に要する部品点数を少なくすることができる。
【００４５】
また、給水管接続部１５、給湯管接続部１６、連結管接続部１７の３つの配管接続部１５〜１７のクリップ挿通孔２１が同方向（本実施形態では後方）を向いて形成されているため、各配管接続部１５〜１７への配管１０〜１２の接続を、より一層、容易に行うことが可能になる。これにより、配管接続作業を狭所で行う場合などであっても、効率的に作業を行うことが可能になる。
【００４６】
さらに、固定クリップ２２が左右、上下に対称の対称形状で形成されていることにより、一面と他面のいずれを上下方向、横方向の正逆方向に向けても同様に使用できる。これにより、固定クリップ２２の向きを気にしながらクリップ挿通孔２１に差し込む必要がなく、各配管接続部１５〜１７への配管１０〜１２の接続作業を、さらに容易で効率的に行うことが可能になる。
【００４７】
また、固定クリップ２２が樹脂製であることによって、従来の金属製のものと比較し、塑性変形しにくく、配管１０〜１２の着脱を複数回（多数回）、繰り返し行ったとしても、同じ固定クリップ２２で好適に配管１０〜１２を接続することができる。
【００４８】
また、本実施形態の水栓装置Ｂ１においては、クリップ挿通孔２１に挿入して配管１０〜１２を嵌合把持した状態で、固定クリップ２２の後端の操作部２３の外面（後端面２３ｂ）がクリップ挿通孔２１の外周端部（開口端）又はリブ２８の突端よりも配管接続部１５〜１７の内側に配される。
これにより、物が当たったり、いたずらなどの不測の事態が生じた場合であっても、固定クリップ２２の引き抜けにくいように、外れにくいようにすることができる。
【００４９】
よって、本実施形態の水栓装置Ｂ１によれば、水栓本体５に一次側の給水管１０、一次側の給湯管１１、二次側の連結管（給水／給湯管）１２を接続するための部品点数を少なくでき、また、接続操作の手間を軽減することができ、機能性、経済性、作業性に優れた水栓装置Ｂ１の配管接続構造２０を実現することが可能になる。
【００５０】
以上、本発明に係る水栓装置の一実施形態について説明したが、本発明は上記の一実施形態に限定されるものではなく、その趣旨を逸脱しない範囲で適宜変更可能である。
【００５１】
５  水栓本体
６  ハンドル
１０  一次側の給水管（給水ホース：一次側の配管）
１１  一次側の給湯管（給湯ホース：一次側の配管）
１２  二次側の連結管（連結ホース：二次側の配管）
１３  配管接続部材
１５  給水管接続部（一次側の配管接続部）
１６  給湯管接続部（一次側の配管接続部）
１７  連結管接続部（二次側の配管接続部）
２０  配管接続構造
２１  クリップ挿通孔
２２  固定クリップ
２３  操作部
２４  クリップ部
２５  嵌合部
２６  工具係合凹部
２７  係止面
２８  リブ
Ｂ  混合水栓システム
Ｂ１  水栓装置
Ｂ２  吐水装置
ｄ  嵌合径
【図１】
2020070578.tif 000003
【図２】
2020070578.tif 000004
【図３】
2020070578.tif 000005
【図４】
2020070578.tif 000006
【図５】
2020070578.tif 000007